(57)【要約】【課題】繊維成形品の加工・染色工程において繊維成形品の伸び縮みによる寸法変化があっても加工・染色機構に対して正確に位置決めして完成度の高い製品を得る。【手段】    繊維成形品を剣山様の固定台の所定の位置に固定する工程と、前記剣山様の固定台に前記成形品を固定したまま浸染による染色装置にて染色する工程と、前記成形品のしわ・歪みの除去のためのプリント前加工を施す工程と、インクジェット印刷により前記成形品に所望の図柄をプリントする工程と、裏側にも図柄のプリントを施す場合は前記成形品を固定台上で裏返して位置決め固定した後再度インクジェット印刷によるプリント工程と、蒸し加工などのプリント後加工を施す工程と、所望のラインに沿って前記成形品をカットする工程からなり、前記成形品を剣山様の固定台の所定の位置に固定する工程以外の工程は任意に選択できるように構成した、繊維成形品の加工・染色方法。【選択図】図１
2008196081.tif 000002
【特許請求の範囲】
【請求項１】
繊維成形品の加工方法において、繊維成形品を剣山様の固定台の所定位置に固定する工程と、該固定された繊維成形品を所望の切断線に沿って切断する工程とを有する加工方法。
【請求項２】
請求項１に記載の繊維成形品の加工方法において、前記繊維成形品を剣山様の固定台の所定位置に固定する工程と前記固定された成形品を所望の切断線に沿って切断する工程との間に、該成形品を染色する工程または該成形品をプリント加工する工程のいずれかがなされる、加工方法。
【請求項３】
請求項２に記載の繊維成形品の加工方法であって、前記繊維成形品をプリント加工する工程において、該繊維成形品の両面にプリント加工すべく、前身頃のプリント加工が終了した後に前記繊維成形品を前記剣山様の固定台から離脱し、裏返して前記剣山様の固定台の所定位置に固定し、後身頃をプリント加工する、加工方法。
【請求項４】
請求項２又は３に記載の繊維成形品の加工方法において、前記繊維成形品をプリント加工する工程の前にプリント前加工がなされる、加工方法。
【請求項５】
請求項２から４のいずれかに記載の繊維成形品の加工方法において、前記繊維成形品をプリント加工する工程の前に、該繊維成形品のしわ、歪みを矯正するためのプリント前加工をなす工程が設けられている、加工方法。
【請求項６】
請求項２から５のいずれかに記載の繊維成形品の加工方法において、前記繊維成形品をプリント加工する工程の後にプリント後加工がなされる、加工方法。
【請求項７】
請求項２から５のいずれかに記載の繊維成形品の加工方法において、前記繊維成形品をプリント加工する工程の後に、蒸し加工等のプリント後加工をなす工程が設けられている、加工方法。
【請求項８】
請求項２から７のいずれかに記載の繊維成形品の加工方法において、前記繊維成形品をプリント加工する工程がインクジェットによりなされる、加工方法。
【請求項９】
請求項１に記載の繊維成形品の加工方法において、前記繊維成形品を剣山様の固定台の所定位置に固定する工程と前記固定された成形品を所望の切断線に沿って切断する工程との間に、前記請求項５または７のいずれかに記載のプリント前加工またはプリント後加工をなす工程が設けられている、加工方法。
【請求項１０】
請求項１に記載の繊維成形品の加工方法において、前記固定された繊維成形品を所望の切断線に沿って切断する工程の後に、該繊維成形品を染色加工する工程が設けられている、加工方法。
【請求項１１】
繊維成形品を所定位置に固定担持する剣山様の固定台と、該剣山様の固定台に固定された繊維成形品を所望の切断線に沿って切断する切断装置とを有する、繊維成形品加工システム。
【請求項１２】
請求項１１に記載の繊維成形品加工システムにおいて、前記繊維成形品を前記剣山様の固定台に固定担持させたまま染色可能な染色装置を有している、繊維成形品加工システム。
【請求項１３】
請求項１１又は１２に記載の繊維成形品加工システムにおいて、前記繊維成形品に所望の色彩ないしは図柄をプリントする装置を有する、繊維成形品加工システム。
【請求項１４】
底面に位置認識のためのマークを備えた平板状の台に針状体を等間隔のメッシュ状に立て並べたものであって、前記針状体は任意の位置のものがCADデータによって他の針状体よりも所定の長さだけ突出させることが可能に構成され、前記所定の長さだけ突出した針状体に繊維成形品を突き刺すことによって固定して該繊維成形品を加工するための剣山様固定台。
【発明の詳細な説明】
【技術分野】
【０００１】
本発明は、繊維成形品の加工・染色工程および加工・染色装置に関するものである。
【０００２】
ここで繊維成形品とは衣類をはじめバッグ、帽子、手袋、座布団の外側布などの織物又は編物により形成されたものであり、織物とは一般に経（たて）糸と緯（よこ）糸が直角に交差して織り上げられた布地を指し、編物とはループ状にした糸に次のループ状の糸を引っ掛けることを連続して織り上げる編地を指す。更に詳しくは、編物には経（たて）編みと緯(よこ)編みがあり、緯編みには丸編みと横編みがあり、それぞれの繊維成形品の使用目的や嗜好傾向に合う風合いや使用感などによって選択使用されている。
【背景技術】
【０００３】
繊維成形品、中でもセーターやＴシャツなどの衣類、特にＡ−ＰＯＣ（登録商標）などの染色工程において、被加工物である繊維成形品は、複数が連なった連続体に対して染色・プリントその他の加工を施すため、その伸び縮みなどにより図柄を正確に所望の位置にプリントできない上に、歪みや皺に加えて伸び縮みによる寸法不安定により一着ずつにカットして完成品とした時に着心地が悪いなど完成度の低いものしかできないという問題があった。
【０００４】
この問題に対して、複数の染色糸をＣＡＤデータに従って自動機で編み上げて所望の模様を有するセーターなどの衣類を１着ずつ作製するという技術があるが、量産性とそれに伴う価格の面で問題が残されており、やはりプリントによる手軽な模様付けが望まれていた。
【０００５】
また、針付きのベルトに生地を固定してプリント柄を印刷する方法なども提案されているが、生地の伸びと弛みに対する補正が困難で、正確な位置決めに基づくプリントや切断の加工は望めなかった。
【特許文献１】実公昭３５−０１９７９６号公報
【特許文献２】特開昭５０−１４５６８３号公報
【特許文献３】特開平０８−１７６９６９号公報 尚、前記Ａ−ＰＯＣ（登録商標）は「Ａ  Ｐｉｅｃｅ  Ｏｆ  Ｃｌｏｔｈ」を表し、所定の寸法に裁断した複数の布又は編み物などを縫い合わせ又は繋ぎ合わせて形作る衣類などと異なり、元々一体に繋がった衣類などの繊維成形品である。
【特許文献４】特開２００１−３４８７１８号公報
【発明の開示】
【発明が解決しようとする課題】
【０００６】
繊維成形品の染色、特に多彩な図柄や色を付与する工程において、プリント機構に対して対象繊維成形品を自動で正確に位置決めすることが困難であったために、プリントする模様のバリエーションが限定され、また生産性が上がらないという課題があった。
【０００７】
また被加工物である繊維成形品の伸び縮みによる寸法変化により、加工装置に対して正確に位置決め出来なかったために、自動機で衣類の所望の位置を切断することも困難を伴うとともに、着心地やシルエットなどに最も影響を及ぼす寸法精度の点からも設定寸法に仕上がらず、服としての製品の完成度が低いという点も解決が待たれる課題であった。
【０００８】
更に例えばジャケット等の織物を主な素材とした衣類においては特に、胸・肩・腋の下などの部位の立体感を身体の線に合わせたものにすることが困難であったために着心地の面からも十分な満足度を得難かった。
【課題を解決するための手段】
【０００９】
本発明は、剣山様の固定台を用いることによって繊維成形品を加工装置の所望の位置に容易かつ正確に位置決め固定してすべての加工を行う繊維成形品加工システムとこのシステムによる繊維成形品加工工程を任意に選択稼動できるようにしたことを最も主要な特徴とする。
【発明の効果】
【００１０】
本発明の加工・染色工程および加工・染色装置は、容易で正確な位置決めを可能にして、寸法精度が高く且つ高精細な美しい図柄を付与された完成度の高い衣類を、短時間に多数製作することを可能とするという優れた利点を有する。
【００１１】
また本発明によれば、正確な位置決めにより染色模様のバリエーションが無限に広がるばかりでなく、完成品の衣類に対しても更に好みの模様を正確に所望の位置に付与することが可能になる。
【００１２】
更に、Ａ−ＰＯＣ（登録商標）のようなセーター、Ｔシャツ、パンツなどの筒状衣類で、例えば袖と胴が接続糸で繋がった状態のものに染色・プリントを施した後、接続糸を自動機で切断して完成品にするということも正確な位置決め実現の結果可能となった。
【００１３】
更に加えて、剣山様の固定台に繊維成形品を位置決め固定した状態で当該繊維成形品のしわ、歪みを矯正するための加工をなすことにより所望の寸法に成形することを可能とした。その結果、胸・肩・腋の下などの部位の立体感を身体の線に合わせたものにすることも可能となり、着心地など製品完成度の一層の向上を実現した。
【発明を実施するための最良の形態】
【００１４】
本発明を実施するための工程から説明する。
【００１５】
セーター、Ｔシャツ、パンツなどの筒状衣類を連続して多数作りつけてロールした筒状長尺繊維成形品１を１着分ずつにカットして半完成品２とし、この半完成品２を剣山様の固定台３の所定の位置に人手で位置決め固定して、この際半完成品２の目視検査も兼ねて不良品は取り除く。
【００１６】
続いて半完成品２を全体的に染色する場合は、剣山様の固定台３の所定の位置に半完成品２を固定したもの４をそのまま浸染による染色装置に投入して染色した後、しわ・歪みの除去のためのプリント前加工を施す。但し、半完成品２が浸染による変形の少ない材質の場合は前記のプリント前加工は省略する場合もある。
【００１７】
続いてインクジェット印刷によるプリント工程に送って半完成品２に図柄のプリントを施す。
【００１８】
裏側にも図柄のプリントを施す場合は、人手により固定台上で裏返して再度位置決め固定した後、再度インクジェット印刷によるプリント工程に送って半完成品２の裏側に図柄のプリントを施す。
【００１９】
続いて、蒸し加工などのプリント後加工を施した後、外形接続ライン２ａに沿って接続糸２ｂをカットして完成品５を得る。
【００２０】
ここで、半完成品２を剣山様の固定台３の所定の位置に人手で位置決め固定する工程のラインは適宜ライン数を増加して複数のラインとし、それ以外の自動制御工程の速度とマッチングを図って全体の効率を最適に設定することを可能とした。
【００２１】
図１は、本発明の全工程を示す工程図であって、ＢとＧおよびＪの工程は人手による手動工程であり、その他の工程はプログラム制御による自動工程であって、全ての工程の順序および組み合わせは目的に合わせて自在に変更できるように構成されている。
【００２２】
また、本発明のプログラム制御による自動工程のＣからＩにおいて、半完成品２は剣山様の固定台３に位置決め固定したまま工程ラインを流すことにより位置ずれを解消した。
【００２３】
更に、工程Ｅのプリント装置においては、剣山様の固定台３に設けられた位置決めマークをセンサーで認識することにより前記固定台３の位置すなわち半完成品２の前記プリント装置に対する正確な位置を検出して、半完成品２の所望の位置に正確に図柄をプリントすることを可能にした。
【００２４】
図３は、Ａ−ＰＯＣ（登録商標）などのセーター、Ｔシャツ、パンツなどの筒状衣類を連続して多数作りつけてロールした筒状長尺繊維成形品１を１着分ずつにカットして半完成品２とする工程Ａを説明するための参考図である。
【００２５】
半完成品２は次の工程Ｂの作業者の近くに自動的に積み上げるようにしておけば良い。
【００２６】
図４（ａ）および図４（ｂ）は、工程Ｂにおいて剣山様の固定台３の所定の位置に半完成品２を位置決め固定した状態を説明するための参考図である。
【００２７】
剣山様の固定台３は、例えば染料・水蒸気・熱などで変形し難い材質で平板状の台に、半完成品２に適応する太さ・形状で前記平板状の台と同様の材質の針状体３ａを、等間隔のメッシュ状に立て並べたものであって、前記針状体３ａは任意の位置のものがＣＡＤデータによって他の位置の針状体３ａよりも所定の長さだけ突出させることが可能なように構成されている。
【００２８】
図５は、工程５のインクジェット印刷によって、例えば「Ａ−ＰＯＣ」という文字列を表面に図柄として印刷した半完成品２の状態を説明するための参考図である。
【００２９】
図６は、工程Ｇにおいて表面印刷の終わった半完成品２を剣山様の固定台３から取り外して裏返し、再度前記固定台３の所定の位置に人手で位置決め固定する状態を説明するための参考図である。
【００３０】
続いて再び工程Ｂに戻って裏面の図柄をプリントする。
【００３１】
図７は、図３における外形接続ライン２ａと、図４（ｂ）における針状体３ａの部分、および接続糸２ｂの状態を拡大して説明するための参考図である。
【実施例１】
【００３２】
図２の（１）は、浸染および表裏両面プリントを施した上で接続糸２ｂをカットして、図１の工程図の全ての工程を経て完成品を得る場合の実施例の手順を示すものである。この場合に適用する半完成品２又は２２が一部にゴム編みのような伸縮性の編物の部分を有する織物の場合でも剣山様固定台３に前記半完成品を固定する工程Ｂ又はＧを採用することにより、所望の寸法精度と所望の位置精度を有する完成品を得ることが可能となる。
【実施例２】
【００３３】
図２の（２）は、浸染および表面のプリントを施した上で接続糸２ｂをカットして、図１の工程図に従って完成品を得る場合の実施例の手順を示すもので、裏面のプリントは施さないものである。
【実施例３】
【００３４】
図２の（３）は、表裏両面のプリントを施した上で接続糸２ｂをカットして、図１の工程図に従って完成品を得る場合の実施例の手順を示すもので、浸染は施さないものである。
【実施例４】
【００３５】
図２の（４）は、表面のプリントを施した上で接続糸２ｂをカットして、図１の工程図に従って完成品を得る場合の実施例の手順を示すもので、浸染および裏面のプリントは施さないものである。
【実施例５】
【００３６】
図２の（５）は、浸染を施した上で接続糸２ｂをカットして、図１の工程図に従って完成品を得る場合の実施例の手順を示すもので、プリントは表裏両面ともに施さないものであり、単色の無地もので寸法精度の高い完成品を得る事を目的とする。
【００３７】
この場合、浸染工程Ｃの後に必要に応じてＤ又はＦもしくはＨの工程を挿入すればよいことは言うまでもない。
【００３８】
またこの場合、カットした後に完成品の外形線に沿って残るフリンジ状の接続糸は直線的な外観を有する。
【００３９】
上記実施例３の表裏両面のプリントを全面一色にすれば本実施例５と同様の外観を有する完成品が得られるが、接続糸をカットした後の完成品の外形線に沿って残るフリンジ状の接続糸の断面は染色されていないために原糸の色（通常は白）のままであり、浸染によって染色したものとは風合いの異なる完成品が得られる。
【実施例６】
【００４０】
図２の（６）は、繊維成形品のしわ、歪みを矯正するための加工を施した上で接続糸２ｂをカットして、図１の工程図に従って完成品を得る場合の実施例の手順を示すもので、浸染・プリントなどの染色は施さないものであり、仕上がり寸法精度の高い完成品を得る事を目的とする。
【実施例７】
【００４１】
図２の（７）は、半完成品２に浸染および表裏両面プリントを施すが、接続糸２ｂはカットせず、エンドユーザーが好みの外形接続ラインに沿って接続糸２ｂをカットして完成品を得る場合の実施例の手順を示すものである。
【００４２】
この場合の半完成品２２の１例を図８に示す。この場合、長袖／半袖と徳利襟／丸首の選択が可能となっている。
【実施例８】
【００４３】
実施例６の工程Ｉで接続糸をカットした後工程Ｊで固定台から外した製品に対して浸染による染色を施せば、全体の染色という目的の他に完成品の外形線に沿って残るフリンジ状の接続糸はクルクルと丸まって、実施例５に記載の場合とはまた異なる外観を呈する完成品を得ることが出来る。
【００４４】
本実施例において、工程Ｉで接続糸をカットした後の工程Ｊをスキップして、固定台３に製品を固定したまま再び浸染の工程Ｃを施すという手順も選択できることは言うまでもない。
【実施例９】
【００４５】
実施例１から７までの工程の中の工程Ｂ、または実施例１もしくは３の中の工程Ｇにおいて、半完成品２又は２２の一部例えば胸部に相当する部分を、所定位置に別途設けた針状体３ａに固定して後加工を施すことにより胸部などに所望のゆとりを持った完成品を得ることが出来る。
【図面の簡単な説明】
【００４６】
【図１】本発明に係わる繊維成形品の加工・染色工程を示す全工程の説明図である。
【図２】図１の工程説明図に基づく実施形態を示し、図中（１）は全工程を経て完成品５を得る第１の実施例を、（２）は裏面プリントを行わない第２の実施例を、（３）は浸染を行わない第３の実施例を、（４）は浸染および裏面プリントを行わない第４の実施例を、（５）はプリントを行わず浸染のみを施す第５の実施例を、（６）は浸染・プリントなどの染色は施さず仕上がり寸法精度のみを追及する第６の実施例を、（７）は顧客が接続糸をカットして完成させる場合の第７の実施例をそれぞれ示す。
【図３】筒状長尺繊維成形品１をカットする工程の説明図である。（工程Ａ）
【図４】固定台に半完成品を固定した状態を示した説明図であり、（ａ）はその平面状態を、（ｂ）は横断面状態を示す。（工程Ｂ）
【図５】表面に図柄を印刷した半完成品２の状態を示した説明図である。（工程Ｅ）
【図６】表面に図柄を印刷した後半完成品を固定台から取り外して裏返して再固定する図（工程Ｇ）
【図７】外形接続ラインと接続糸および針状体の状態説明図である。
【図８】顧客が最終形状を選択できる半完成品の１例を示した説明図である。
【符号の説明】
【００４７】
１    筒状長尺繊維成形品のロール
２    半完成品
２２  半完成品の別の例
２ａ  外形接続ライン
２ｂ  接続糸
３    剣山様の固定台
３ａ  針状体
４    剣山様の固定台３の所定の位置に半完成品２を固定したもの
【図１】
2008196081.tif 000003
【図２】
2008196081.tif 000004
【図３】
2008196081.tif 000005
【図４】
2008196081.tif 000006
【図５】
2008196081.tif 000007
【図６】
2008196081.tif 000008
【図７】
2008196081.tif 000009
【図８】
2008196081.tif 000010